【手続補正書】
【提出日】令和1年5月13日(2019.5.13)
【手続補正１】
【補正対象書類名】明細書
【補正対象項目名】発明の名称
【補正方法】変更
【補正の内容】
【発明の名称】情報処理装置、制御装置、情報処理方法、制御方法、並びにプログラム
【手続補正２】
【補正対象書類名】明細書
【補正対象項目名】０００７
【補正方法】変更
【補正の内容】
【０００７】
上述の問題点を解決するため、本発明に係る情報処理装置又は制御装置は以下の構成を備える。すなわち、物体の画像を記録媒体上に形成するための信号値を導出する情報処理装置において、前記物体の表面に関して鏡面反射方向の反射光成分である鏡面反射光の特性を入力する第１の入力手段と、前記物体の内部で拡散した反射光成分である第１拡散反射光の特性を入力する第２の入力手段と、前記物体の表面で拡散した反射光成分である第２拡散反射光の特性を入力する第３の入力手段と、前記第１拡散反射光の特性に基づいて、前記記録媒体上に第１の記録層を形成するための第１の信号値を導出する第１の導出手段と、前記鏡面反射光の特性と前記第２拡散反射光の特性とに基づいて、前記記録媒体上に前記第１の記録層とは異なる第２の記録層を形成するための第２の信号値を導出する第２の導出手段と、を有する。
又は、物体の画像を記録媒体上に形成するための信号値を導出する情報処理装置において、前記物体の表面に関して鏡面反射方向の反射光成分である鏡面反射光の特性を入力する第１の入力手段と、前記物体の内部で拡散した反射光成分である第１拡散反射光の特性を入力する第２の入力手段と、前記物体の表面で拡散した反射光成分である第２拡散反射光の特性を入力する第３の入力手段と、前記鏡面反射光の特性と前記第１拡散反射光の特性と前記第２拡散反射光の特性とに基づいて、前記記録媒体上に色材層を形成し、前記色材層の上にクリア材層を形成するための信号値を導出する導出手段と、を有する。
あるいは、制御装置において、物体の表面に関して鏡面反射方向の反射光成分である鏡面反射光の特性を入力する第１の入力手段と、前記物体の内部で拡散した反射光成分である第１拡散反射光の特性を入力する第２の入力手段と、前記物体の表面で拡散した反射光成分である第２拡散反射光の特性を入力する第３の入力手段と、前記鏡面反射光の特性と前記第１拡散反射光の特性と前記第２拡散反射光の特性とに基づいて、記録媒体上に前記物体の反射特性を再現する画像を形成するための制御を行う制御手段と、を有する。
【手続補正３】
【補正対象書類名】特許請求の範囲
【補正対象項目名】全文
【補正方法】変更
【補正の内容】
【特許請求の範囲】
【請求項１】
物体の画像を記録媒体上に形成するための信号値を導出する情報処理装置であって、
前記物体の表面に関して鏡面反射方向の反射光成分である鏡面反射光の特性を入力する第１の入力手段と、
前記物体の内部で拡散した反射光成分である第１拡散反射光の特性を入力する第２の入力手段と、
前記物体の表面で拡散した反射光成分である第２拡散反射光の特性を入力する第３の入力手段と、
前記第１拡散反射光の特性に基づいて、前記記録媒体上に第１の記録層を形成するための第１の信号値を導出する第１の導出手段と、
前記鏡面反射光の特性と前記第２拡散反射光の特性とに基づいて、前記記録媒体上に前記第１の記録層とは異なる第２の記録層を形成するための第２の信号値を導出する第２の導出手段と、
を有することを特徴とする情報処理装置。
【請求項２】
前記第１の記録層は色インクにより形成される層であり、
前記第２の記録層はクリアインクにより形成される層である
ことを特徴とする請求項１に記載の情報処理装置。
【請求項３】
前記第１の信号値を用いて前記記録媒体上に前記第１の記録層を形成し、前記第２の信号値を用いて前記記録媒体上に第２の記録層を形成するように、画像形成手段を制御する制御手段を更に有する
ことを特徴とする請求項１又は請求項２に記載の情報処理装置。
【請求項４】
前記制御手段は、前記第１の記録層を形成した後、表面が平滑な平滑層を形成し、該平滑層を形成した後、前記第２の記録層を形成するように、前記画像形成手段を制御する
ことを特徴とする請求項３に記載の情報処理装置。
【請求項５】
前記第１の導出手段は、前記第１の記録層を形成する画像形成手段の色出力特性を更に用いて前記第１の信号値を導出する
ことを特徴とする請求項１乃至請求項４の何れか１項に記載の情報処理装置。
【請求項６】
前記第２の導出手段は、信号値と該信号値に応じて形成される構造体の高さとの関係を示す形状出力特性を更に用いて前記第２の信号値を導出する
ことを特徴とする請求項１乃至請求項５の何れか１項に記載の情報処理装置。
【請求項７】
前記第２の導出手段は、前記第２の記録層の表面における法線分布に応じた反射特性が、前記鏡面反射光の特性及び前記第２拡散反射光の特性に近づくように、前記第２の信号値を導出する
ことを特徴とする請求項６に記載の情報処理装置。
【請求項８】
前記第２の導出手段は、前記第２拡散反射光と前記鏡面反射光との比率に一致するように、ランダムな法線分布を有する第１の基本構造体と平滑な構造を有する第２の基本構造体との面積比を決定し、前記第２の信号値を導出する
ことを特徴とする請求項１乃至請求項５の何れか１項に記載の情報処理装置。
【請求項９】
物体の画像を記録媒体上に形成するための信号値を導出する情報処理装置であって、
前記物体の表面に関して鏡面反射方向の反射光成分である鏡面反射光の特性を入力する第１の入力手段と、
前記物体の内部で拡散した反射光成分である第１拡散反射光の特性を入力する第２の入力手段と、
前記物体の表面で拡散した反射光成分である第２拡散反射光の特性を入力する第３の入力手段と、
前記鏡面反射光の特性と前記第１拡散反射光の特性と前記第２拡散反射光の特性とに基づいて、前記記録媒体上に色材層を形成し、前記色材層の上にクリア材層を形成するための信号値を導出する導出手段と、
を有することを特徴とする情報処理装置。
【請求項１０】
物体の表面に関して鏡面反射方向の反射光成分である鏡面反射光の特性を入力する第１の入力手段と、
前記物体の内部で拡散した反射光成分である第１拡散反射光の特性を入力する第２の入力手段と、
前記物体の表面で拡散した反射光成分である第２拡散反射光の特性を入力する第３の入力手段と、
前記鏡面反射光の特性と前記第１拡散反射光の特性と前記第２拡散反射光の特性とに基づいて、記録媒体上に前記物体の反射特性を再現する画像を形成するための制御を行う制御手段と、
を有することを特徴とする制御装置。
【請求項１１】
物体の画像を記録媒体上に形成するための信号値を導出する情報処理方法であって、
前記物体の表面に関して鏡面反射方向の反射光成分である鏡面反射光の特性を入力する第１の入力工程と、
前記物体の内部で拡散した反射光成分である第１拡散反射光の特性を入力する第２の入力工程と、
前記物体の表面で拡散した反射光成分である第２拡散反射光の特性を入力する第３の入力工程と、
前記第１拡散反射光の特性に基づいて、前記記録媒体上に第１の記録層を形成するための第１の信号値を導出する第１の導出工程と、
前記鏡面反射光の特性と前記第２拡散反射光の特性とに基づいて、前記記録媒体上に前記第１の記録層とは異なる第２の記録層を形成するための第２の信号値を導出する第２の導出工程と、
を含むことを特徴とする情報処理方法。
【請求項１２】
物体の画像を記録媒体上に形成するための信号値を導出する情報処理方法であって、
前記物体の表面に関して鏡面反射方向の反射光成分である鏡面反射光の特性を入力する第１の入力工程と、
前記物体の内部で拡散した反射光成分である第１拡散反射光の特性を入力する第２の入力工程と、
前記物体の表面で拡散した反射光成分である第２拡散反射光の特性を入力する第３の入力工程と、
前記鏡面反射光の特性と前記第１拡散反射光の特性と前記第２拡散反射光の特性とに基づいて、前記記録媒体上に色材層を形成し、前記色材層の上にクリア材層を形成するための信号値を導出する導出工程と、
を含むことを特徴とする情報処理方法。
【請求項１３】
物体の表面に関して鏡面反射方向の反射光成分である鏡面反射光の特性を入力する第１の入力工程と、
前記物体の内部で拡散した反射光成分である第１拡散反射光の特性を入力する第２の入力工程と、
前記物体の表面で拡散した反射光成分である第２拡散反射光の特性を入力する第３の入力工程と、
前記鏡面反射光の特性と前記第１拡散反射光の特性と前記第２拡散反射光の特性とに基づいて、記録媒体上に前記物体の反射特性を再現する画像を形成するための制御を行う制御工程と、
を含むことを特徴とする制御方法。
【請求項１４】
コンピュータを、請求項１乃至請求項９の何れか１項に記載の情報処理装置の各手段として機能させるためのプログラム。